(57)【特許請求の範囲】
【請求項１】
合成樹脂製の連続筒状袋体が折畳み状態で集積された集積案内部から導出された連続筒状袋体の一部を、連続筒状袋体の連続方向に対して所要の間隔をおいて挟持して束ねた状態で、挟持箇所間の連続筒状袋体を上記連続方向に対して所要の間隔をおいて結束した後に結束箇所間の連続筒状袋体を切断して被収容物を袋詰め可能にする袋詰め装置において、
上記連続方向に対して所要の間隔をおいたそれぞれの箇所にて相対する保持部材を互いに近づく方向へ移動して連続筒状袋体の一部を上記所要の間隔をおいて挟持して束ねる一対の保持機構と、
上記一対の保持機構間にて束ねられた連続筒状袋体に向かって移動するようにそれぞれ設けられ、連続筒状袋体に相対する面に接着面を有してテープリールから繰り出される接着テープ及び上記束ねられた連続筒状袋体を収容する凹所を有し、移動に伴う回転により接着テープを束ねられた連続筒状袋体に巻付けて接着する回転体及び回転体の凹所から排出される連続筒状袋体に接着された接着テープを切断するテープ切断刃を備え、所要の間隔をおいた連続筒状袋体の一部を接着テープによりそれぞれ結束する一対の結束機構と、
上記一対の結束機構と共に移動し、接着テープにより結束された連続筒状袋体の結束箇所間を切断する切断部材と、
上記一対の保持機構及び該保持機構より若干遅れたタイミングで一対の結束機構を連続筒状袋体に向かって移動させる操作部材と、
を備えた連続筒状袋体を使用した袋詰め装置。
【請求項２】
請求項１の上記一対の結束機構には、回転体の外周面に沿った押圧面を有し、弾性部材により押圧面が回転体の外周面側に位置するように付勢された案内部材をそれぞれ軸支し、各案内部材により各結束機構の移動に伴って束ねられた連続筒状袋体の一部を、接着テープが収容された回転体の凹所内に進入させる連続筒状袋体を使用した袋詰め装置。
【請求項３】
請求項１の操作部材は、上記保持部材を移動させる保持機構駆動用のレバー及び上記保持部材の移動より若干遅延したタイミングで一対の結束機構を移動させる結束機構駆動用のレバーを設けた連続筒状袋体を使用した袋詰め装置。
【発明の詳細な説明】
【０００１】
【発明の属する技術分野】
この発明は、連続筒状袋体を使用して被収容物を袋詰めする袋詰め装置に関する。
【０００２】
【発明が解決しようとする課題】
例えば大型販売店等においては、商品を販売する際に一辺が開口し、他辺が閉鎖された袋体内に被収容物としての商品を収容した後、該袋体の開口部を接着テープや中央部に透孔を有したクリッププレートを使用して閉鎖し、商品の保存性を良くしたり、消費者の手が触れても商品の品質が悪くなるのを防止している。
【０００３】
しかしながら、上記した袋体にあっては、例えば重ね合わされた合成樹脂シートの二辺を熱シール加工して形成されるため、該袋体自体の製造コストを低減するのに限界があり、商品梱包コストを低減できなかった。
【０００４】
又、ごみ収容用の袋体にあっても同様の問題があった。即ち、ごみ収容用袋体はその使用により廃棄されるため、製造コストを低くする必要があるが、上記理由により上記袋体にあっては製造コストを低減するのに限界があった。又、上記袋体にあっては、ごみ収容後に被収容物が飛び出したりするのを防止するため、テープ、ゴムバンド、紐等により開口部を結束しているが、この作業に手間がかかると共に結束時に被収容物が手に付着して不衛生であった。
【０００５】
本発明は、上記した従来の欠点を解決するために発明されたものであり、その課題とする処は、低コストな連続筒状袋体を使用して被収容物を効率的に袋詰めすることができる袋詰め装置を提供することにある。
【０００６】
又、本発明の他の課題は、簡易な作業により開口部を確実に閉鎖して袋詰めすることができる袋詰め装置を提供するにある。
【０００７】
【課題を解決するための手段】
このため請求項１は、合成樹脂製の連続筒状袋体が折畳み状態で集積された集積案内部から導出された連続筒状袋体の一部を、連続筒状袋体の連続方向に対して所要の間隔をおいて挟持して束ねた状態で、挟持箇所間の連続筒状袋体を上記連続方向に対して所要の間隔をおいて結束した後に結束箇所間の連続筒状袋体を切断して被収容物を袋詰め可能にする袋詰め装置において、上記連続方向に対して所要の間隔をおいたそれぞれの箇所にて相対する保持部材を互いに近づく方向へ移動して連続筒状袋体の一部を上記所要の間隔をおいて挟持して束ねる一対の保持機構と、上記一対の保持機構間にて束ねられた連続筒状袋体に向かって移動するようにそれぞれ設けられ、連続筒状袋体に相対する面に接着面を有してテープリールから繰り出される接着テープ及び上記束ねられた連続筒状袋体を収容する凹所を有し、移動に伴う回転により接着テープを束ねられた連続筒状袋体に巻付けて接着する回転体及び回転体の凹所から排出される連続筒状袋体に接着された接着テープを切断するテープ切断刃を備え、所要の間隔をおいた連続筒状袋体の一部を接着テープによりそれぞれ結束する一対の結束機構と、上記一対の結束機構と共に移動し、接着テープにより結束された連続筒状袋体の結束箇所間を切断する切断部材と、
上記一対の保持機構及び該保持機構より若干遅れたタイミングで一対の結束機構を連続筒状袋体に向かって移動させる操作部材とを備えたことを特徴とする。
【０００８】
請求項１は、予め下部が接着テープで結束されて閉鎖された状態で導出された連続筒状袋体内に被収容物が所定量、収容されると、保持部材を互いに近づく方向へ移動して連続筒状袋体の上部を、連続する方向に対して所要の間隔をおいて挟持して束ねると共に保持部材の移動より若干遅延したタイミングで一対の結束機構を、束ねられた連続筒状袋体に向かって移動し、テープリールから繰り出された接着テープ及び束ねられた連続筒状袋体を回転体の凹所内に収容させる。そして一対の結束機構の移動に伴って回転体が回転することにより束ねられた連続筒状袋体の外周に接着テープを巻付けながら粘着させて所要の間隔をおいた２箇所で結束させる。そして一対の結束機構の移動により回転する回転体の凹所から排出され、接着テープで結束された連続筒状袋体の結束箇所間を切断部材により切断して被収容物が収容された連続筒状袋体の上部を接着テープで閉鎖した状態で切り離すと共に次に被収容物が収容される連続筒状袋体の下部を接着テープで閉鎖させる。
【００１３】
【発明の実施の形態】
以下、本発明の実施形態を図に従って説明する。
【００１４】
実施形態１
図１は袋詰め装置の概略を示す略体斜視図である。
【００１５】
図２は保持機構の概略を示す斜視図である。
【００１６】
図３は結束装置の概略を示す一部破断斜視図である。
【００１７】
袋詰め装置１の本体ケース３（図１に一点鎖線で示す）は上部が開口し、内部には集積案内部５、ストック部７、集積案内部５とストック部７間に保持機構９及び結束機構１１が設けられている。尚、本体ケース３の上部には蓋１３が、本体ケース３下部に設けられたペダル１５の操作により開閉可能に設けられている。
【００１８】
集積案内部５には連続筒状袋体１７の案内部材１９が着脱可能に取り付けられている。該案内部材１９は中央部に開口１９ａを有し、周縁が本体ケース３の内面に設けられた段部（図示せず）に掛止する掛止板１９ｂ及び該掛止板１９ｂの開口１９ａ周縁にて上方へ起立する円筒形状或いは角筒形状のガイド部１９ｃ（図１は円筒形状のものを示す）が一体形成されている。そして掛止板１９ｂ上には折り畳まれた連続筒状袋体１７がガイド部１９ｃ外周側に嵌込まれた状態で支持されると共に連続筒状袋体１７の端部はガイド部１９ｃ上部にて折り返された後に内周面に沿って垂下するようにセットされる。
【００１９】
尚、集積案内部５が取り付けられた本体ケース３の上部開口には中心部にガイド部１９ｃを遊嵌する透孔を有したカバー（図示せず）が着脱可能に取り付けられ、掛止板１９ｂ上に支持された連続筒状袋体１７を覆うと共にガイド部１９ｃと透孔との間隙から連続筒状袋体１７を繰り出し可能にしている。
【００２０】
集積案内部５とストック部７の中間部に応じた本体ケース３には移動機構を構成する操作レバー２３の基端部に回動可能に支持され、該操作レバー２３の基端部には第１〜第３カムレバー２３ａ、２３ｂ、２３ｃが一体形成されている。その内、上方及び下方に位置する第１及び第３カムレバー２３ａ・２３ｃは後述する保持機構９の駆動用、中間部の第２カムレバー２３ｂは後述するテープ結束機構１１の駆動用であり、これら第１及び第３カムレバー２３ａ・２３ｃと第２カムレバー２３ｂは保持機構９に対してテープ結束機構１１の作動タイミングをずらすため、角度差を設けている。又、各第１〜第３カムレバー２３ａ、２３ｂ、２３ｃの自由端部側にはカム孔２３ｄ、２３ｅ、２３ｆが夫々形成されている。
【００２１】
保持機構９はガイド部１９ｃの内側面に沿って垂下する連続筒状袋体１７の外周側に位置し、上下方向へ所要の間隔をおいて配置される上下一対からなる保持部材としての従動板２５及び可動板２７とから構成され、これら従動板２５・可動板２７は被収容物が収容された連続筒状袋体１７が通過可能な間隔をおいて対向配置されている。そして従動板２５の側板内面及び可動板２７の側板外面にはラックギャ２５ｂ・２７ｃが夫々形成され、各ラックギャ２５ｂ・２７ｃには本体ケース３に軸支されたギャ２６が一体に噛み合わされている。又、各従動板２５・可動板２７の相対面には平面Ｖ字形の押圧面２５ａ・２７ｂが夫々形成され、従動板２５・可動板２７が互いに近接する方向へ移動された際に両者間に位置する連続筒状袋体１７を、上下方向に所要の間隔をおいて絞って挟持固定させる。
【００２２】
又、各可動板２７に設けられたカム軸２７ａは第１及び第３カムレバー２３ａ・２３ｃのカム孔２３ｄ・２３ｆに夫々摺動可能に係合され、操作レバー２３の回動操作による第１及び第３カムレバー２３ａ・２３ｃの揺動により各従動板２５・可動板２７を互いに近接する方向へ移動させる。尚、操作レバー２３には引っ張りばねや線ばねの弾性部材（図示せず）が取り付けられ、該弾性部材の弾性力により操作レバーを常には初期位置に付勢している。
【００２３】
上記した上下一対の従動板２５・可動板２７間には一対の結束機構１１が配置されている。該一対の結束機構１１は上下方向に所要の間隔をおいた一対のテープ結束装置２９・３１が水平方向へ移動可能に支持され、各テープ結束装置２９・３１に設けられたカム軸（図示せず）が第２カムレバー２３ｂのカム孔２３ｅに摺動可能に係合されている。そして各テープ結束装置２９・３１は操作レバー２３の回動操作により、保持機構９の作動タイミングにより若干遅れたタイミングで連続筒状袋体１７に作用する。
【００２４】
各テープ結束装置２９・３１は以下の構造からなる。尚、図３は主に上方に位置するテープ結束装置２９を示すが、下方のテープ結束装置３１についても同一構造であり、図示及び詳細な説明を省略する。
【００２５】
テープ結束装置２９のフレーム３３には従動板２５及び可動板２７により束ねられた連続筒状袋体１７の一部が挿通するスリット３３ａ及び開口３３ｂが形成され、該スリット３３ａ入口側のフレーム３３には回転体３５及び該回転体３５の一部外周に沿う押圧面３７ａを有したレバー３７がスリット３３ａを挟んで回転可能に支持されている。該回転体３５の外周には束ねられた連続筒状袋体１７を収容する大きさのポケット３５ａが形成されている。該レバー３７には引張りばね３９が取り付けられ、該引張りばね３９の弾性力によりその押圧面３７ａを回転体３５の一部外周面に当接させる。
【００２６】
一方、回転体３５側のフレーム３３には接着テープ３８が巻回されたテープリール４１が回転可能に支持され、該テープリール４１から繰り出された接着テープ３８はその先端部の接着面を連続筒状袋体１７側に向けた状態で回転体３５及びレバー３７間にセットされる。
【００２７】
開口３３ｂ側のフレーム３３には揺動レバー４３及び案内軸４５がスリット３３ａを挟んで取り付けられている。揺動レバー４３は案内軸４５の外周面に当接する作動アーム４３ａ及び刃物４７が取り付けられる刃物アーム４３ｂを有し、フレーム３３に取り付けられた引張りばね４９の弾性力により、常には作動アーム４３ａが案内軸４５の一部外周面に当接するように付勢されている。又、刃物アーム４３ｂの作動端部には刃物４６が、回転体３５及びレバー３７と揺動レバー４３及び案内軸４５の間に導出された接着テープ３８を切断するように取り付けられている。
【００２８】
上記テープ結束装置２９・３１間に位置するフレーム３３には切断部材としての刃物５１が、その刃先を開口３３ｂ内に位置させて取り付けられ、該刃物５１はテープ結束装置２９・３１の移動により連続筒状袋体１７を、接着テープ３８間にて切断する。
【００２９】
保持機構９及び結束機構１１の下方に位置する本体ケース３にはストック部７を構成する空間部５３が設けられ、該空間部５３内には収容ケース５５が出し入れ可能に取り付けられている。該収容ケース５５は内部に被収容物（図示せず）が収容され、上部及び下部が接着テープ３８により結束されて閉鎖された複数の袋詰め体５８を収容する大きさからなる。
【００３０】
次に、上記のように構成された袋詰め装置１の袋詰め作用を説明する。
【００３１】
図４は連続筒状袋体のセット状態を示す断面図である。
【００３２】
図５は保持機構による連続筒状袋体の挟持状態を示す説明図である。
【００３３】
図６は結束初期状態を示す説明図である。
【００３４】
図７は接着テープの切断状態を示す説明図である。
【００３５】
図８は結束された連続筒状袋体の切断状態を示す説明図である。
【００３６】
掛止板１９ｂ上に折り畳み集積された連続筒状袋体１７を掛止板１９ｂの内側面に沿って垂下し、下部が保持機構９箇所上方に位置するようにセットする。尚、連続筒状袋体１７の先端部（下端部）は予め後述する結束動作により接着テープ３８が巻き付けられて閉鎖されている。上記のようにセットされた連続筒状袋体１７内に被収容物が収容されると、該連続筒状袋体１７は収容された被収容物の重さにより徐々に下方へ移動して保持機構９の従動板２５・可動板２７間及びテープ結束装置２９・３１の前方を通過して収容ケース５５内に位置される。
【００３７】
そして連続筒状袋体１７内に所定量の被収容物が収容されると、作業者は操作レバー２３を回動操作して保持機構９及び結束機構１１を作動させる。即ち、操作レバー２３を回動操作すると、揺動する第１及び第３カムレバー２３ａ・２３ｃにより夫々の可動板２７を連続筒状袋体１７に向かって移動させる。
【００３８】
このとき、各可動板２７に対して相対する各従動板２５がギャ２６により連結されているため、各従動板２５は対応する可動板２７の移動に連続筒状袋体１７に向かって移動し、近接する夫々の押圧面２５ａ・２７ｂにより両者間の連続筒状袋体１７を上下方向に所要の間隔をおいて絞って束ねた状態で挟持固定させる。
【００３９】
又、上記操作レバー２３の回動に伴って揺動する第２カムレバー２３ｂによりテープ結束装置２９・３１を、夫々の従動板２５・可動板２７により挟持された連続筒状袋体１７に向かって移動してスリット３３ａ内に導入させる。該スリット３３ａ内に導入された連続筒状袋体１７は外周面に接着テープ３８が付着された状態で回転体３５のポケット３５ａ内に収容保持されることにより接着テープ３８が巻き付けられて夫々の揺動レバー４３及び案内軸４５側に位置され、次に夫々の揺動レバー４３は連続筒状袋体１７に対する当接により揺動して回転体３５及びレバー３７と揺動レバー４３及び案内軸４５間に位置する接着テープ３８を刃物４６により切断した後、引張りばね４９の弾性力による復動して作動アーム４３ａにより連続筒状袋体１７の外周面に巻き付けられた接着テープ３８の端部相互を押圧して接着させる。
【００４０】
これにより各従動板２５・可動板２７相互間に位置して束ねられた連続筒状袋体１７を、接着テープ３８により上下方向に所要の間隔をおいて夫々結束させる。
【００４１】
そして操作レバー２３の回動によりテープ結束装置２９・３１が更に連続筒状袋体１７に向かって移動して連続筒状袋体１７が開口３３ｂ内に位置した際、刃物５１は結束された各接着テープ３８相互間の連続筒状袋体１７に押し当たって切断し、連続筒状袋体１７から被収容物が収容されて上部が接着テープ３８により結束された袋詰め体５８を分離して収容ケース５５内へ集積させる。
【００４２】
次に、操作レバー２３が復動されると、先ずテープ結束装置２９・３１を原位置へ戻しながら各可動板２７を原位置へ戻して挟持状態を解除させる。これにより、次に被収容物が収容される下部が接着テープ３８により結束された連続筒状袋体１７を、その下部が上方の従動板２５・可動板２７に位置するようにセットさせる。
【００４３】
そして上記作業により収容ケース５５内に所定数の袋詰め体５８が溜まると、作業者は本体ケース３から収容ケース５５を抜き出して袋詰めされた被収容物を取り出す。
【００４４】
上記説明においては、袋詰め体５８を収容ケース５５内に一旦溜めて取り出す形式としたが、本発明においては本体ケース３の下部内に袋詰め体５８を溜めて直接取り出し可能にしてもよいことは勿論である。
【００７２】
【発明の効果】
このため本発明は、低コストな連続筒状袋体を使用して被収容物を効率的に袋詰めすることができる。又、本発明は、簡易な作業により開口部を確実に閉鎖して袋詰めすることができる。
【図面の簡単な説明】
【図１】袋詰め装置の概略を示す略体斜視図である。
【図２】保持機構の概略を示す斜視図である。
【図３】結束装置の概略を示す一部破断斜視図である。
【図４】連続筒状袋体のセット状態を示す断面図である。
【図５】保持機構による連続筒状袋体の挟持状態を示す説明図である。
【図６】結束初期状態を示す説明図である。
【図７】接着テープの切断状態を示す説明図である。
【図８】結束された連続筒状袋体の切断状態を示す説明図である。
【符号の説明】
１   袋詰め装置、３   本体ケース、５  集積案内部、７   集積部、９   保持機構、１１   結束機構、 １７・７１・９５・１０１   連続筒状袋体、２３  移動機構を構成する操作レバー、２５  保持部材の一部としての従動板、２７  保持部材の一部としての可動板、２９・３１  テープ結束装置、３８  接着テープ
【図１】
0003904103.tif 000002
【図２】
0003904103.tif 000003
【図３】
0003904103.tif 000004
【図４】
0003904103.tif 000005
【図５】
0003904103.tif 000006
【図６】
0003904103.tif 000007
【図７】
0003904103.tif 000008
【図８】
0003904103.tif 000009